(57)【特許請求の範囲】
【請求項１】
振り分けケース内に供給シュートと、複数個の振り分け口が設けられた旋回皿とを有し、前記供給シュートから供給された遊技球を前記旋回皿の旋回凹部内で周方向に旋回させた後、前記振り分け口の何れかに振り分けるようにした振り分け手段を備えた弾球遊技機において、前記旋回皿の左右一側に、後端から前下がりに傾斜する前記供給シュートを設け、前記旋回皿を前記振り分けケースに対して前記旋回凹部の略中心上方の揺動中心廻りに前後及び左右方向に揺動自在に吊り下げる吊り下げ手段を設け、前記供給シュートを含む前記旋回皿の重心を前記旋回凹部の略中心位置とし、該供給シュートの前記後端と、該供給シュートの後側で前記振り分けケースに前向きに設けられ且つ該供給シュートへと遊技球を供給する供給口とを所定の間隔をおいて前後に対向させて配置したことを特徴とする弾球遊技機。
【請求項２】
前記吊り下げ手段は前記振り分けケースの天井部に設けられた吊り具と、該吊り具と前記旋回皿とを連結する３本の吊り索とを備えたことを特徴とする請求項１に記載の弾球遊技機。
【発明の詳細な説明】
【技術分野】
【０００１】
本発明は、旋回式の振り分け手段を備えた弾球遊技機に関し、振り分け手段の旋回皿を前後方向に対して鉛直状態に維持できるようにしたものである。
【背景技術】
【０００２】
パチンコ機等の弾球遊技機には、遊技盤の遊技領域に旋回式の振り分け手段を備えたものがある。この振り分け手段は、振り分けケース内に供給シュートと、中央側に複数個の振り分け口が形成された旋回皿とを設け、入賞口等から入賞した遊技球を供給シュートを経て旋回皿へと供給し、この旋回皿内で遊技球を周方向に旋回させた後、振り分け口の何れかに振り分けるよう構成されている。
【０００３】
弾球遊技機を遊技島に装着する際には、外枠の上側を若干後方に倒した状態で遊技島に固定することがある。この場合には、振り分け手段の旋回皿が外枠の角度に応じて傾斜するため、鉛直状態の場合に比較して遊技球の振り分け率が変化するという問題がある。
【０００４】
そこで、従来の弾球遊技機には、旋回皿を左右方向の横軸廻りに回動自在に枢支し、この横軸廻りに旋回皿を回動させる駆動モータと、旋回皿の角度を検出するセンサとを備え、旋回皿が傾斜状態のときにセンサでその角度を検出して、駆動モータで横軸廻りに旋回皿を回動させて傾斜を修正するようにしたものがある（特許文献１）。
【特許文献１】特開２００５−２９６５４８号公報
【発明の開示】
【発明が解決しようとする課題】
【０００５】
しかし、従来の角度調整機能付の振り分け手段では、センサで旋回皿の傾斜角度を検出して、駆動モータで横軸廻りに旋回皿を回動させて傾斜を修正するため、振り分けケース内に駆動モータ、センサを組み込む必要がある上に、センサの検出信号に応じて駆動モータをフィードバック制御する制御装置が必要である等、構造的に非常に複雑で製作コストが大幅に高騰するという欠点がある。
【０００６】
本発明は、このような従来の問題点に鑑み、簡単な構造で容易且つ安価に製作でき、しかも外枠側の前後方向の傾斜に関係なく旋回皿を鉛直姿勢等の適正な姿勢に維持できる振り分け手段を備えた弾球遊技機を提供することを目的とする。
【課題を解決するための手段】
【０００７】
本発明は、振り分けケース内に供給シュートと、複数個の振り分け口が設けられた旋回皿とを有し、前記供給シュートから供給された遊技球を前記旋回皿の旋回凹部内で周方向に旋回させた後、前記振り分け口の何れかに振り分けるようにした振り分け手段を備えた弾球遊技機において、前記旋回皿の左右一側に、後端から前下がりに傾斜する前記供給シュートを設け、前記旋回皿を前記振り分けケースに対して前記旋回凹部の略中心上方の揺動中心廻りに前後及び左右方向に揺動自在に吊り下げる吊り下げ手段を設け、前記供給シュートを含む前記旋回皿の重心を前記旋回凹部の略中心位置とし、該供給シュートの前記後端と、該供給シュートの後側で前記振り分けケースに前向きに設けられ且つ該供給シュートへと遊技球を供給する供給口とを所定の間隔をおいて前後に対向させて配置したものである。
【発明の効果】
【０００８】
本発明によれば、簡単な構造で容易且つ安価に製作でき、しかも外枠側の前後方向の傾斜に関係なく旋回皿を鉛直姿勢等の適正な姿勢に維持できる利点がある。
【発明を実施するための最良の形態】
【０００９】
以下、本発明の実施例を図面に基づいて詳述する。図１〜図７は本発明をパチンコ機に採用した第１の実施例を例示している。図１において、１は遊技機本体で、矩形枠状の外枠２と、この外枠２に上下一対のヒンジ３により開閉、着脱自在に枢着された前枠４とを備え、外枠２が遊技島に着脱自在に固定される。
【００１０】
前枠４の前側にはガラス扉５及び前面板６が上下に装着され、そのガラス扉５の後側に遊技盤７が着脱自在に装着されている。遊技盤７には、発射手段１７から発射された遊技球を案内するガイドレール８が設けられ、そのガイドレール８の内側が遊技領域９となっている。遊技領域９には、入賞口１０及び図柄表示手段１１を含む振り分け手段１２が略中央に配置され、その左右両側から下側に始動手段１３、入賞手段１４、特別入賞手段１５、可変入賞手段１６等が配置されている。
【００１１】
前面板６には発射手段１７に供給するための遊技球を貯留する供給皿１８が装着されている。前枠４には前面板６の裏側に対応して発射手段１７が設けられ、また前面板６の下側に余剰球受け皿１９、灰皿２０及び発射ハンドル２１が配置されている。発射手段１７は発射ハンドル２１を操作したときに供給皿１８から発射レール２２上に１個ずつ供給される遊技球を打撃槌２３で打撃して、遊技盤７のガイドレール８側へと発射させるようになっている。
【００１２】
図柄表示手段１１は例えば図３に示すように３個の遊技図柄２５を表示可能であり、その各遊技図柄２５には１０種類の異なる図柄、例えば０〜９までの数字図柄が使用されている。可変入賞手段１６は図柄表示手段１１の変動後の各遊技図柄２５が予め定められた当たり態様を停止表示したときに、開閉板２６が所要時間だけ開くようになっている。
【００１３】
特別入賞手段１５は、可変入賞手段１６に入賞した遊技球が内部の特定領域（図示省略）を通過することにより作動する特別装置（図示省略）の作動中に、始動手段１３が遊技球を検出したときに開閉翼２７が開放して、遊技球の１個の入賞につき通常の２倍の賞球を払い出すようになっている。
【００１４】
振り分け手段１２は図柄表示手段１１の変動開始用であって、図２〜図６に示すように、振り分けケース２９の入口５０から供給シュート４９を経て旋回皿４５に供給された遊技球が旋回皿４５内で周方向に旋回した後、３個（複数個）の振り分け口５１ａ〜５１ｃの内、その特定振り分け口５１ａに振り分けられたときに、図柄表示手段１１の各遊技図柄２５が所定時間変動するようになっている。
【００１５】
振り分けケース２９は、図２〜図６に示すように遊技盤７の前面側の前部ケース３０と、遊技盤７の装着孔３２に嵌合する後部ケース３１と、後部ケース３１の裏側に装着された裏カバー３３とを有し、取り付け板３４がネジ等により遊技盤７の前面に着脱自在に固定されている。そして、振り分けケース２９の上部には入賞口１０が設けられ、また上下方向の中間に形成された表示窓３５に対応して図柄表示手段１１が装着されている。
【００１６】
入賞口１０は通路３６を介して遊技盤７の裏側へと遊技球を誘導し、その遊技球を図外の球検出スイッチにより検出するようになっている。図柄表示手段１１は基板３７等に取り付けられ、その基板３７が取り付け板３４の裏側等に固定されている。
【００１７】
振り分けケース２９には、図柄表示手段１１の下側に振り分け室４０が設けられている。振り分け室４０は前部ケース３０の前面の化粧板５３に形成され且つ前面側に開口する左右方向に長い略横長矩形状の視認窓４１を有し、この視認窓４１の裏側に、前部ケース３０及び後部ケース３１に跨がって後方に凹入状に形成されている。
【００１８】
振り分け室４０は図柄表示手段１１の下側近傍に配置された天井部４２と、この天井部４２の左右両側から下方に延びる左右一対の側壁部４３と、天井部４２の後端から下方に伸び且つ左右両端が各側壁部４３の後端に連結された後壁部４４とを有する。そして、振り分け室４０の下部には、この振り分け室４０を下側から塞ぐように旋回皿４５が配置され、吊り下げ手段４６を介して前後及び左右方向に揺動自在に天井部４２から吊り下げられている。
【００１９】
旋回皿４５は振り分け室４０の略中央に位置して平面視略真円状に形成された旋回凹部４７と、この旋回凹部４７の外周に平面視略矩形状に形成された縁部４８とを一体に備え、また一方の側壁部４３側の縁部４８上に側壁部４３に近接して供給シュート４９が設けられている。そして、旋回皿４５の外周の縁部４８は、前面側の化粧板（前壁部）５３、側壁部４３及び後壁部４４の下部側に設けられた覆い部５３ａ，４３ａ，４４ａの下側に入っており、夫々の間には旋回皿４５が前後、左右方向に揺動できる程度の所定の間隙が確保されている。
【００２０】
旋回凹部４７は中央側が低くなる球面状に凹入しており、その外周側に周壁面４７ａが設けられている。この旋回凹部４７の中央側には周方向に略等間隔をおいて３個の振り分け口５１ａ〜５１ｃが設けられ、旋回後の遊技球が何れかの振り分け口５１ａ〜５１ｃから下方に落下するようになっている。なお、旋回凹部４７には、前部側の左右方向の略中央と、その後方近傍の左右両側とに障害突起５５，５６が設けられている。
【００２１】
３個の振り分け口５１ａ〜５１ｃの内、例えば後側等の１個が特定振り分け口５１ａとなっている。そして特定振り分け口５１ａは、振り分けされた遊技球を図外の球検出スイッチで検出した後、裏側通路５７を経て遊技盤７の裏側へと誘導するようになっている。なお、前側の２個の振り分け口５１ｂ，５１ｃは、遊技球を前側通路５８を経て遊技盤７の前側へと振り分けるようになっている。
【００２２】
吊り下げ手段４６は、天井部４２の下面に設けられた吊り具５９と、この吊り具５９と旋回皿４５とを連結する複数本、例えば３本の吊り索６０とにより構成されている。吊り具５９は旋回皿４５の旋回凹部４７の略中心の重心Ｇ（図５参照）を通る直線上で天井部４２に設けられている。
【００２３】
吊り索６０は例えば３本あり、その下端は旋回皿４５の前部側の左右両側部、後部側の左右方向の中央部等に夫々連結されており、吊り具５９の下端部等を揺動中心として旋回皿４５を適正角度（適正姿勢）に保持するようになっている。
【００２４】
吊り索６０は耐久性に優れたナイロン等の合成樹脂性紐等により構成され、視認窓４１から旋回皿４５の吊り下げ状態を視認できるようになっている。なお、吊り索６０は可撓性を有する線材、剛性を有する線材、弾性を有する線材等でもよい。各吊り索６０の下端は旋回皿４５の前部側の左右両側部、後部側の左右方向の中央部等に夫々連結されている。
【００２５】
供給シュート４９は旋回皿４５の左右方向の一側を経て前部側から旋回凹部４７に遊技球を案内するようになっている。なお、供給シュート４９の先端から飛行した遊技球は、障害突起５５を超えた位置Ａ（図６参照）で旋回凹部４７上に接触する。
【００２６】
供給シュート４９の後端は後壁部４４に形成された後側の供給口６２ａに所定の間隔をおいて対向している。供給口６２ａは後壁部４４の裏側の合流通路６２から左右の案内通路６３を経て左右の入口５０に連通している。左右の案内通路６３の一部は、振り分け室４０の左右の側壁部４３の上部側に設けられている。
【００２７】
なお、旋回皿４５の一側部に供給シュート４９があるが、旋回凹部４７の略中心に重心Ｇが位置するように供給シュート４９を含む旋回皿４５側全体の重量バランスを取っている。また後壁部４４には振り分け室４０内を照明し、又は特定振り分け口５１ａへの遊技球の振り分けを表示するためのＬＥＤ等の発光体６４が設けられている。発光体６４は他の目的の表示用でもよい。
【００２８】
上記構成において、ゲームに際しては、発射ハンドル２１を操作して発射手段１７により遊技球を１個ずつ発射すると、その遊技球はガイドレール８を経て遊技盤７の遊技領域９へと案内されて行く。そして、遊技領域９へと案内された遊技球は、遊技盤７の前面に沿って下方へと落下し、その落下中に入賞口１０、入賞手段１４手段等に入賞すれば、それに応じて賞球として遊技球が払い出される。
【００２９】
また遊技球が振り分け手段１２の入口５０に入ると、この遊技球は案内通路６３、合流通路６２、供給口６２ａを経て供給シュート４９へと案内され、この供給シュート４９から旋回皿４５の旋回凹部４７へと供給されて行く。そして、旋回皿４５の旋回凹部４７に入った遊技球は、その慣性力に応じて周壁面４７ａに沿って周方向（図６のａ矢示方向）に旋回した後、徐々に失速しながら中央側へと移動して、３個の振り分け口５１ａ〜５１ｃの何れかへと振り分けられる。
【００３０】
前側の２個の振り分け口５１ｂ，５１ｃに振り分けられた遊技球は、前側通路５８を経て遊技盤７の前側へと案内されて落下する。一方、後側の特定振り分け口５１ａに振り分けられた遊技球は、球検出スイッチで検出されると共に、裏側通路５７を経て遊技盤７の裏側へと案内されて落下する。
【００３１】
遊技球が特定振り分け口５１ａへと振り分けられると、球検出スイッチの遊技球の検出を条件に図柄表示手段１１の各遊技図柄２５が変動を開始し、所定時間変動した後に停止する。このとき各遊技図柄２５が当たり態様で停止すれば、可変入賞手段１６の開閉板２６が前側へと開放し、上方から落下する遊技球を開閉板２６を介して可変入賞手段１６内へと案内する。
【００３２】
可変入賞手段１６に入賞した遊技球が特定領域を通過すると、特別装置が作動して始動手段１３が有効になり、その間に始動手段１３に遊技球が入賞すると、特別入賞手段１５が開放する。そして、特別入賞手段１５に遊技球が入賞すると、遊技球が１個入賞する毎に２倍の遊技球が賞球として払い出されることになる。
【００３３】
振り分け手段１２では、このようにして３個の振り分け口５１ａ〜５１ｃの何れかに遊技球を振り分けるが、その振り分け率は旋回皿４５の角度（姿勢）によって大きく変化する。しかし、この実施例では、旋回皿４５は吊り下げ手段４６により前後、左右方向に揺動自在に吊り下げているため、旋回皿４５の角度を旋回凹部４７が略水平となる鉛直状態に常時維持することができる。
【００３４】
例えば、外枠２を遊技島に取り付けたときに、仮に外枠２が図７に線分Ｘで示すように鉛直線Ｙに対して角度αだけ後方に傾斜しても、吊り索６０を介して吊り具５９により吊り下げられた旋回皿４５は常に鉛直方向に垂下する。従って、旋回凹部４７が略水平となるように供給シュート４９を含む旋回皿４５側全体の重量バランスを取っておけば、遊技島に対する外枠２の前後方向、左右方向の取り付け角度に関係なく旋回皿４５を最適な姿勢に維持することができる。しかも、旋回皿４５を吊り下げ手段４６を介して吊り下げているため、構造的にも簡単で容易且つ安価に製作できる利点がある。
【００３５】
またゲーム中においても、供給シュート４９を経て旋回皿４５へと供給される遊技球の慣性力の大小によって、遊技球が旋回皿４５の旋回凹部４７に接触したときの衝撃が異なり、また旋回中の遠心力が異なるため、旋回皿４５が吊り具５９を支点に前後、左右に揺動する。そして、その揺動によって旋回皿４５の姿勢が変化して、旋回凹部４７内での遊技球の旋回状況もランダムに変化するため、遊技球を３個の振り分け口５１ａ〜５１ｃの何れかにランダムに振り分けることができる。また同時に、遊技者に対して遊技球の振り分けの面白さを演出することもできる。
【００３６】
更に供給シュート４９が旋回皿４５側にあるため、供給シュート４９と旋回皿４５、取り分けその旋回凹部４７との関係を常に一定に保持できる利点もある。
【００３７】
図８は本発明の第２の実施例を例示する。この実施例では、供給シュート４９は旋回皿４５から分離して、側壁部４３、後壁部４４等の振り分けケース２９側に装着されている。このように供給シュート４９は振り分けケース２９側に設けてもよい。
【００３８】
図９は本発明の第３の実施例を例示する。この実施例では、旋回皿４５の左右両側に吊り下げアーム６７が設けられ、その吊り下げアーム６７の上端が内側壁部６８と外側壁部６９との左右方向の横軸７０により前後方向に揺動自在に枢支されている。
【００３９】
旋回皿４５を吊り下げる吊り下げ手段４６は、このように吊り下げアーム６７及び横軸７０により構成してもよい。この場合には、吊り下げアーム６７が内側壁部６８の外側にあるため、吊り下げ手段４６の露出を防止できる。
【００４０】
図１０、図１１は本発明の第４の実施例を例示する。この実施例では、旋回皿４５の左右両側に、旋回凹部４７の中央部を通る円弧の半径と略同程度の円弧状の案内部７１が設けられ、その案内部７１が前後方向に複数個の案内ローラ７２等の案内手段により前後方向に揺動自在に下側から支持されている。なお、上側には案内部７１の押えローラ７３等の押え手段が設けられている。入賞口１０は開閉翼７４により開閉自在であり、この入賞口１０に入賞した遊技球が案内通路６３から供給シュート４９を経て旋回皿４５へと案内されるようになっている。
【００４１】
この場合にも、旋回凹部４７の球面の略中心を揺動中心として前後方向に揺動自在に旋回皿４５を支持することが可能である。従って、吊り下げ手段４６以外の支持構造を採用しても、第１の実施例と同様に外枠２の前後方向の角度に関係なく旋回皿４５を最適な鉛直状態に保持することが可能である。
【００４２】
図１２は本発明の第５の実施例を例示する。この実施例の旋回皿４５は、上側に球面状に突出する球面部７６と、この球面部７６の外周に溝状に形成された周方向の旋回凹部４７と、旋回凹部４７の溝底に周方向に所定間隔をおいて配置された複数個の振り分け口５１ａ〜５１ｃとを有する。旋回皿４５は重心Ｇを通る鉛直線（旋回皿４５の旋回凹部４７の中心線）上で重心Ｇの上側近傍に配置された横軸７０により前後方向に揺動自在に支持されている。
【００４３】
供給シュート４９から旋回皿４５に遊技球７５が供給されると、遊技球７５は図１２に示すようにその慣性力により旋回凹部４７の外周側の周壁面４７ａに沿って旋回し、徐々に失速して何れかの振り分け口５１ａ〜５１ｃに振り分けられるようになっている。
【００４４】
この場合にも、旋回皿４５が重心Ｇよりも上側で重心Ｇを通る直線上の横軸７０により前後方向に揺動自在に枢支されており、外枠２が傾斜すれば、それに応じて旋回皿４５が横軸７０廻りに回動するため、旋回皿４５を適正な角度（適正な姿勢）に保持することができる。
【００４５】
以上、本発明の各実施例について詳述したが、本発明はこの実施例に限定されるものではなく、本発明の趣旨を逸脱しない範囲で種々の変更が可能である。例えば、実施例では旋回皿４５を吊り下げ手段４６で吊り下げて揺動自在に支持する場合と、旋回皿４５を下側から支えて揺動自在に支持する場合とを例示しているが、旋回皿４５がその上方を揺動中心として揺動する構造であれば、実施例以外の支持構造で旋回皿４５を支持するようにしてもよい。
【００４６】
また吊り下げ手段４６の吊り具５９により旋回皿４５を前後、左右方向の全周方向に揺動自在に吊り下げる場合、その吊り具５９は天井部４２に固定されたフック等でもよいし、球面継ぎ手、十字継ぎ手等の自在継ぎ手を利用したものでもよい。
【００４７】
吊り下げ手段４６は前後又は左右方向の枢軸廻りに第１吊り下げ部材を揺動自在に枢支し、この第１吊り下げ部材に対し左右又は前後方向の枢軸廻りに第２吊り下げ部材を揺動自在に枢支して、これらにより旋回皿４５を揺動自在に吊り下げてもよい。
【００４８】
旋回皿４５の左右両側及び後側の三方に、振り分け室４０の高さに対応する側壁部、後壁部等の周壁を設け、その周壁と一体に旋回皿４５が前後及び左右方向又は前後方向に揺動するようにしてもよい。この場合、周壁の後壁部に振り分けケース２９側の供給口６２ａと対応するように供給シュート４９の受け取り部を配置して、この受け取り部で供給口６２ａからの遊技球を受け取るようにすればよい。
【００４９】
更に旋回皿４５の揺動中心は旋回凹部４７の球面中心近傍でもよいし、旋回皿４５の旋回凹部４７の略中心線上で且つ旋回皿４５の重心Ｇよりも上側の位置であればよい。
【００５０】
旋回皿４５を横軸７０により揺動自在に枢支する場合には、旋回皿４５の旋回凹部４７の略中心又はその近傍の重心Ｇを通る鉛直線に対して重心Ｇの上側で略直交する方向に横軸７０を配置することが望ましい。外枠２の角度偏位に対する旋回皿４５の位置の移動を小さく抑える場合には、旋回皿４５の揺動中心を旋回皿４５の重心Ｇの上側近傍に配置すればよい。旋回皿４５は旋回凹部４７と複数個の振り分け口５１ａ〜５１ｃとを有するものであればよい。
【００５１】
振り分け手段１２は実施例に例示のように図柄表示手段１１と共に設けてもよいし、それ専用として独立して設けてもよい。更に他の入賞装置等の遊技部品と一緒に設けてもよい。
【００５２】
また遊技盤７の遊技領域９の始動手段１３、入賞手段１４、振り分け手段１２等の遊技部品の配置は単なる一例に過ぎず、遊技部品の配置等はどのようなものでもよい。従って、パチンコ機に限らず、アレンジボール機、雀球遊技機等の他の弾球遊技機においても同様に実施可能であることは言うまでもない。
【図面の簡単な説明】
【００５３】
【図１】本発明の第１の実施例を示すパチンコ機の正面図である。
【図２】同振り分け手段の斜視図である。
【図３】同振り分け手段の正面図である。
【図４】同振り分け手段の一部破断正面図である。
【図５】同振り分け手段の縦断側面図である。
【図６】同振り分け手段の横断平面図である。
【図７】同説明図である。
【図８】本発明の第２の実施例を示す振り分け手段の縦断側面図である。
【図９】本発明の第３の実施例を示す振り分け手段の縦断正面図である。
【図１０】本発明の第４の実施例を示す振り分け手段の正面図である。
【図１１】同旋回皿の側面図である。
【図１２】本発明の第５の実施例を示す旋回皿の断面図である。
【符号の説明】
【００５４】
１２  振り分け手段
２９  振り分けケース
４５  旋回皿
４９  供給シュート
５１ａ〜５１ｃ  振り分け口
【図１】
0004646954.tif 000002
【図２】
0004646954.tif 000003
【図３】
0004646954.tif 000004
【図４】
0004646954.tif 000005
【図５】
0004646954.tif 000006
【図６】
0004646954.tif 000007
【図７】
0004646954.tif 000008
【図８】
0004646954.tif 000009
【図９】
0004646954.tif 000010
【図１０】
0004646954.tif 000011
【図１１】
0004646954.tif 000012
【図１２】
0004646954.tif 000013